(57)【要約】【課題】頭部固定装置の位置調整が被検者頭部形状の個体差に影響を受けることなく、素早く、容易に行え、なおかつ被検者への圧迫感を緩和することができる歯科用X線撮影装置の頭部固定装置を提供する。【解決手段】X線を被検者に照射するX線源と、該被検者を通過したX線を検出するX線撮像手段と、被検者を挟んで該X線源および該X線撮像手段を一定距離に相互に対向して固定し、該被検者の周りを旋回させる旋回駆動手段とからなる歯科用X線撮影装置において、X線撮影時に被検者の頭部固定を行う頭部固定手段を支持する支持部に、被検者の前後方向に傾動調整可能で平行かつ一対の棒状からなる後頭部押え支持手段を設けたことを特徴とする。【選択図】図１
2010214023.tif 000002
【特許請求の範囲】
【請求項１】
X線を被検者に照射するX線源と、該被検者を通過したX線を検出するX線撮像手段と、被検者を挟んで該X線源および該X線撮像手段を一定距離に相互に対向して固定し、該被検者の周りを旋回させる旋回駆動手段とからなる歯科用X線撮影装置において、X線撮影時に被検者の頭部固定を行う頭部固定手段を支持する支持部に、被検者の前後方向に傾動調整可能で平行かつ一対の棒状からなる後頭部押え支持手段を設けたことを特徴とする歯科用X線撮影装置における頭部固定装置。
【請求項２】
X線を被検者に照射するX線源と、該被検者を通過したX線を検出するX線撮像手段と、被検者を該X線源および該X線撮像手段に挟む位置に位置づけるための椅子と、被検者を該椅子に着座させ該X線源および該X線撮像手段を一定距離に相互に対向して固定し、該被検者の周りを旋回させる旋回駆動手段とからなる歯科用X線撮影装置において、X線撮影時に被検者の頭部固定を行う頭部固定手段を支持する支持部を該椅子の背板部分に設け、該支持部に、被検者の前後方向に傾動調整可能で平行かつ一対の棒状からなる後頭部押え支持手段を設けたことを特徴とする歯科用X線撮影装置における頭部固定装置。
【請求項３】
前記後頭部押え支持手段はX線透過率が高い材料で構成されたことを特徴とする請求項１乃至請求項２に記載の歯科用X線撮影装置における頭部固定装置。
【請求項４】
前記後頭部押え支持手段が円形、四角形、六角形、八角形、楕円形状の断面であることを特徴とする請求項１乃至請求項２に記載の歯科用X線撮影装置における頭部固定装置。    
【請求項５】
被検者後頭部の個体差に合わせて、一対に設けた前記後頭部押え支持手段の距離離間が可変可能なリンク機構を設けたことを特徴とする請求項１乃至請求項２記載の歯科用X線撮影装置における頭部固定装置。
【請求項６】
前記後頭部押え支持手段の他に被検者前方から固定するための下顎部固定支持手段を設けたことを特徴とする請求項１乃至請求項２記載の歯科用X線撮影装置における頭部固定装置。
【発明の詳細な説明】
【技術分野】
【０００１】
本発明は、歯科用X線撮影装置における被検者頭部の固定支持手段に関する。
【背景技術】
【０００２】
従来、X線を被検者に照射するX線源と被検者を通過したX線を検出するX線撮像手段と被検者頭部を固定保持させる頭部固定手段とを備えたX線撮影装置において、X線撮影時における精度の高いX線画像を得る上で、被検者頭部の固定を所定位置に安定的に位置づけることが重要となる。また、頭部固定を行う上で被検者に不快感や不安感を与えないことも重要である。
特許文献１では被検者の頭部固定手段として、歯科用パノラマX線撮影装置の基台部から開閉可能に支持された側頭部押さえが被検者の頭部を挟み込むように配置され、その上方を接続手段と、その接続手段の中心点に被検者の前頭部を支持する前後可能な前頭部押さえを設け、また被検者の顎を支持するチンレストも基台部に設けることにより４点保持となり被検者を確実に固定できる。
特許文献２では医科歯科用X線撮影装置の患者頭部固定装置は、支持部と、該支持部に設けられ患者の両側頭部を押える一対の測定部押え部と、該側頭部押え部を患者の側頭部に押当させ且つ押当を解除するよう動作させる為の作動機構部と、該作動機構部を押当方向に付勢する付勢手段と、作動機構部を該付勢手段の付勢力に抗して押当解除方向に操作する為の手動操作部とを備えることで、各側頭部押え部はその先端又は先端近傍に患者の後頭部を押える後頭部押え片を備えているものとすることができ、該後頭部押え片は、患者の側頭部より後頭部にかけての形状に略沿った円弧形状とされ、該側頭部押え部に対して水平面域内で揺動可能に取り付けられているものとすることができる。これにより操作部の操作を止め付勢手段による付勢力を解放すると、側頭部押え部は、付勢手段によって押当方向に作動し、患者頭部を両側部より挟むように押えてその位置付け固定が自動的且つ的確になされる。
特許文献３では頭部固定装置には、前頭部押えもしくはチンレストのいずれか及び一対の対向する側頭部押え片と共に、後頭部押え手段を設け、後頭部押え手段は、当該一対の対向する側頭部押え片の間に、伸縮性もしくは可撓性のバンドを横架し、側頭部押え片に当該バンド面を面ファスナーで係止するか、又はバンドに点設された小孔を側頭部押え片に突設した突起に係止することにより被検者の後頭部は該伸縮性もしくは可撓性のバンドが面接してその収縮力により前方に押圧されるので、被検者頭部は前頭部押えにより前後方向が固定されて、頭部の揺動が阻止される。
【先行技術文献】
【特許文献】
【０００３】
【特許文献１】特開２００７−２０２８８６号公報
【特許文献２】特開２００８−９２９９０号公報
【特許文献３】実開平５−１１０号公報
【発明の概要】
【発明が解決しようとする課題】
【０００４】
上記特許文献１、特許文献２および特許文献３に開示された頭部固定装置は、いずれも側頭部押えが被検者頭部を包み込むように配置される。このとき、被検者の頭部寸法にあわせて側頭部押えを位置調整するため術者の手間がかかる。さらに、特許文献３では側頭部押えに加え、一対の対向する側頭部押え片の間に伸縮性もしくは可撓性のバンドを横架することで被検者頭部の後方への移動の規制を行っているが、該バンドを固定するのに手間がかかり、なおかつ固定具が頭部を包み込むように配置されるため被検者への圧迫感が増し、被検者への不快感や不安感を与えてしまう。
【０００５】
そこで、本発明は前記記載した問題を解決し、被検者頭部形状の個体差に影響を受けることなく、素早く、容易に頭部固定装置の位置調整が行え、なおかつ被検者への圧迫感を緩和することができ、前方位置づけと比較すると被検者はリラックスして撮影を行うことができる頭部固定装置の位置調整を提案する。
【課題を解決するための手段】
【０００６】
前記課題を解決するために、請求項１に記載の頭部固定装置はX線を被検者に照射するX線源と、該被検者を通過したX線を検出するX線撮像手段と、被検者を挟んで該X線源および該X線撮像手段を一定距離に相互に対向して固定し、前記被検者の周りを旋回させる旋回駆動手段とからなる歯科用X線撮影装置において、X線撮影時に被検者の頭部固定を行う頭部固定手段を支持する支持部に、被検者の前後方向に傾動調整可能で平行かつ一対の棒状からなる後頭部押え支持手段を設けたことを特徴とする。
【０００７】
請求項２に記載の頭部固定装置はX線を被検者に照射するX線源と、該被検者を通過したX線を検出するX線撮像手段と、被検者を該X線源および該X線撮像手段に挟む位置に位置づけるための椅子と、被検者を該椅子に着座させ該X線源および該X線撮像手段を一定距離に相互に対向して固定し、前記被検者の周りを旋回させる旋回駆動手段とからなる歯科用X線撮影装置において、X線撮影時に被検者の頭部固定を行う頭部固定手段を支持する支持部を該椅子の背板部分に設け、該支持部に、被検者の前後方向に傾動調整可能で平行かつ一対の棒状からなる後頭部押え支持手段を設けたことを特徴とする。
【０００８】
請求項３に記載の前記後頭部押え支持手段はX線透過率が高い材料で構成されたことを特徴とする。
【０００９】
請求項４に記載の前記後頭部押え支持手段が円形、四角形、六角形、八角形、楕円形状の断面であることを特徴とする。
【００１０】
請求項５記載の頭部固定装置は被検者後頭部の個体差に合わせて一対に設けた前記後頭部押え支持手段の距離離間が可変可能なリンク機構を設けたことを特徴とする。
【００１１】
請求項６記載の頭部固定装置は前記後頭部押え支持手段の他に被検者前方から固定するための下顎部固定支持手段を設けたことを特徴とする。
【発明の効果】
【００１２】
上述したように、本発明によれば後頭部押え支持手段により被検者の後頭部を２点で支持することで、被検者後頭部の形状個体差に影響されずに確実に安定した位置づけが行え、さらに被検者への圧迫感を緩和することができ、リラックスして撮影を行うことができる。
【００１３】
また、後頭部押え支持手段はX線透過率が高い材料で構成され、さらに後頭部を位置づけする接触面積が小さいため、X線の損失を減らすことができる。
【図面の簡単な説明】
【００１４】
【図１】本発明のX線撮影装置における頭部固定装置の一例を示す正面図である。
【図２】同X線撮影装置における頭部固定装置の一例を示す斜視図である。
【図３】後頭部押え支持手段の拡大図である。
【図４】後頭部押え支持手段の動作機構を表す断面図である。
【図５】本発明のX線撮影装置における頭部固定装置の他の実施形態を示す正面図である。
【図６】同X線撮影装置における頭部固定装置の一例を示す斜視図である。
【発明を実施するための形態】
【００１５】
以下、本発明の最良の実施形態について、図面を用いて説明する。
【実施例１】
【００１６】
図１は本発明の歯科用X線撮影装置の一例としての歯科用X線撮影装置１の正面図、図２は同歯科用X線撮影装置の斜視図であり、被検者を椅子２に着座させ、位置づけを行い、パノラマ撮影、ＣＴ撮影を行うものである。
該歯科用X線撮影装置１はX線を被検者に照射するX線源３と、該被検者を通過したX線を検出するX線撮像手段４と、被検者を挟んで該X線源３および該X線撮像手段４を一定距離に相互に対向して固定し、該被検者の周りを旋回させる旋回駆動手段５が床面に設置される基台６上に立設された支柱７に対して設置され、さらに、該基台６上に椅子２が構成されている。
【００１７】
前記椅子２の背板８上部に、X線撮影時に被検者の頭部固定を行う頭部固定手段を前後方向に傾けるための傾動機構２２を設け、さらに該傾動機構２２に該頭部固定手段を支持する支持部９が固設され、該支持部９上には後頭部押え支持手段１０ａおよび１０ｂの一対を設けている。該後頭部押え支持手段１０ａおよび１０ｂはカーボン素材の外径１０ｍｍの円柱とし、該後頭部押え支持手段の長さは３００ｍｍとした。また、２本の該後頭部押え支持手段の距離離間は日本人の人体寸法データから導き出した平均的な頭幅を基準に決定し、ここでは１１０ｍｍとした。
【００１８】
被検者を前記歯科用X線撮影装置１に位置づけする場合、前記椅子２の背板８に設けられた前記後頭部押え支持手段１０に被検者の後頭部が当接するように被検者に着座させる。ＣＴ撮影時での位置づけでは該後頭部押え支持手段１０を被検者の前後方向に対する傾きを傾動機構２２によって変えることによりカンペル平面が咬合平面と水平になるように調整する。またパノラマ撮影時での位置づけではフランクフルト平面が床面に対して水平になるように該後頭部押え支持手段１０の傾きを調整する。これにより、該後頭部押え支持手段１０が被検者後頭部を２点で支持し、さらに被検者の首が頭部を支持することによる安定した頭部固定が行える。
なお、該後頭部押え支持手段１０はカーボン素材に限定されることなく、例えば、メタクリル樹脂（ＰＭＭＡ）、ポリカーボネート（ＰＣ）、ポリエチレン（ＰＥ）、ポリエチレンテレフタレート（ＰＥＴ）などでもよい。また、該後頭部押え支持手段１０の形状は円形断面の他、四角形、六角形、八角形、楕円形状断面のものでもよい。
さらに、該後頭部押え支持手段１０の設置箇所は該椅子２の背板８に限定されることなく、前記旋回駆動手段５の旋回中心部を貫通して設けられた支持部に垂下固定してもよい。これにより被検者の着座位置づけのほか、起立位置づけも可能となる。
なお、該後頭部押え支持手段１０の設置個所は支柱部に支持台を設けて固定してもよい。
【実施例２】
【００１９】
図３および図４は歯科用X線撮影装置１に設置された頭部固定装置の被検者各個人の後頭部に合わせて前記後頭部押え支持手段１０ａおよび１０ｂの距離離間を決定できる前記頭部固定装置の実施形態である。なお、上記実施形態と共通する部分には同一の符号を付し説明する。
【００２０】
図４は図３における前記頭部固定装置である前記後頭部押え支持手段１０のＡ−Ａ断面図である。該後頭部押え支持手段１０ａの上下先端部にガイド部材１４を設け、該ガイド部材１４にはラック１２が接合されている。同様に該後頭部押え支持手段１０ｂの上下先端部にガイド部材１５を設け、該ガイド部材１５にはラック１３が接合されている。さらに、該頭部固定装置の支持部９内には回転軸１６を有するピニオンギア１１を備え、該ラック１２および該ラック１３は該ピニオンギア１１を挟むように対向して配置され、それぞれが該ギア１１と噛合する。
【００２１】
被検者後頭部形状に合わせて前記後頭部押え支持手段１０を移動させる場合、手動にて該後頭部押え支持手段１０を移動させることで、前記ラック１２に噛合する前記ピニオンギア１１と、該ピニオンギア１１の回転と連動して該ラック１２と対向する前記ラック１３が水平方向に移動することにより前記ガイド部材１４および前記ガイド部材１５がリンクして水平方向に移動し、該後頭部押え支持手段１０ａおよび該後頭部押え支持手段１０ｂとの距離離間を変更することが可能となる。さらに該ラック１２とピニオンギア１１には適度の摩擦力を設けることで、被検者の頭部荷重で不用意に該ラック１２が開閉移動しないようにする。また、該ラック１２の不用意な開閉移動をさせないようにロック機構を設けてもよい。
なお、本実施形態は該後頭部押え支持手段１０を手動にて移動させたが、前記支持部９内にモータ等を設けて自動で移動させることも可能である。
【実施例３】
【００２２】
図５は他の実施形態を示し、  本発明の歯科用X線撮影装置の一例としての歯科用X線撮影装置１の正面図、図６は同歯科用X線撮影装置の斜視図であり、被検者を椅子２に着座させ、位置づけを行い、パノラマ撮影、ＣＴ撮影を行うものである。
該歯科用X線撮影装置１はX線を被検者に照射するX線源３と、該被検者を通過したX線を検出するX線撮像手段４と、被検者を挟んで該X線源３および該X線撮像手段４を一定距離に相互に対向して固定し、前記被検者の周りを旋回させる旋回駆動手段５が床面に設置される基台６上に立設された支柱７に対して設置され、さらに、該基台６上に該椅子２が構成されている。
【００２３】
さらに、前記椅子２の側方に基台部１６を設け、該基台部１６からアーム１７を立設させ、さらにアーム１８、アーム１９を介して下顎部固定支持部材２０を固定し、該下顎部固定支持部材２０上に下顎部固定支持手段であるチンレスト２１を備えた構造とする。なお、本実施形態では下顎部固定支持手段はチンレスト２１としたが、被検者の下顎部に当接でき、被検者頭部の前方への移動を制限できるものであれば上記に限定されることはない。
【００２４】
被検者を前記歯科用X線撮影装置１に位置づけする場合、実施例１と同様に前記椅子２の背板８に設けられた前記後頭部押え支持手段１０に被検者の後頭部が当接するように着座させる。
また、被検者の後頭部が該後頭部押え支持手段１０に当接した状態で、前記アーム１７、１８、１９を介して前記下顎部固定支持部材２０に備えた前記チンレスト２１を被検者下顎部へ前方から当接させる。
これにより、該後頭部押え支持手段１０が被検者後頭部を２点で支持し、さらに該チンレスト２１によって前方から頭部固定を行うことで、後方への頭部移動の制限に加え、前方への頭部移動も制限できるため、安定した頭部固定が行える。
【符号の説明】
【００２５】
１  X線撮影装置  
２  椅子
３  X線源
４  X線撮像手段
５  旋回駆動手段
９  支持部
１０  後頭部押え支持手段
１１  ピニオンギア
１２  ラック
１３  ラック
１４  ガイド部材
１５  ガイド部材
２０  下顎部固定支持部材
２１  チンレスト
２２  傾動機構
【図１】
2010214023.tif 000003
【図２】
2010214023.tif 000004
【図３】
2010214023.tif 000005
【図４】
2010214023.tif 000006
【図５】
2010214023.tif 000007
【図６】
2010214023.tif 000008